(57)【特許請求の範囲】
【請求項１】
複数のサイネージ端末と、コンテンツを前記サイネージ端末に送信して画面に表示させる複数のサイネージサーバと、ＧＰＳ機能を有する携帯端末と、前記携帯端末の位置情報を受信する位置解析サーバと、を含んで構成され、前記サイネージ端末と前記サイネージサーバとの間で双方向性の通信を可能とするサイネージ情報表示システムであって、
前記サイネージ端末は、ユーザの操作によって表示内容を変更する手段を備え、
前記携帯端末は、
前記位置解析サーバに位置情報を送信する位置情報送信手段と、
前記サイネージサーバにコンテンツ送信を要求する手段と、を備え、
前記位置解析サーバは、
前記サイネージサーバから前記サイネージ端末の位置及びＩＤと、各サイネージ端末に対応したインデックス表示画面のＵＲＬと、を受信し、それらを対応付けて記憶する位置情報データベースと、
前記位置情報を受信し、前記位置情報データベースから、前記位置情報に対応した前記サイネージ端末を読み出して特定するサイネージ端末特定手段と、
前記サイネージ端末に対応した前記インデックス表示画面のＵＲＬを前記携帯端末へ送信して画面に表示させる手段と、を備え、
前記サイネージサーバは、
前記コンテンツと、前記インデックス表示画面のコンテンツを記憶するコンテンツデータベースと、
前記サイネージ端末の位置及びＩＤと、各サイネージ端末に対応した前記インデックス表示画面のＵＲＬを対応付けて記憶し、更に位置情報送信のマークのある画面のＵＲＬを記憶するサイネージデータベースと、
前記サイネージ端末から画面変更の要求を受けると、前記サイネージデータベースを読み込み、画面変更される画面が前記位置情報送信のマークのある画面のＵＲＬである場合にだけ、前記サイネージ端末の位置及びＩＤと、前記インデックス表示画面のＵＲＬを前記位置解析サーバに送信する送信手段と、
前記携帯端末から送信されたコンテンツ送信の要求を受信し、前記携帯端末に前記コンテンツを送信して画面に表示させる手段と、
を備えることを特徴としたサイネージ情報表示システム。
【請求項２】
請求項１に記載のサイネージ情報表示システムにおいて、前記サイネージ端末は、ＧＰＳ機能を有し、移動可能に設置されており、その移動に応じて前記サイネージ端末の位置及びＩＤを前記サイネージサーバに送信し、前記サイネージサーバは、前記サイネージ端末の位置及びＩＤを受信して前記サイネージデータベースを更新し、前記サイネージ端末の位置及びＩＤを前記位置解析サーバに送信し、前記位置解析サーバは、前記サイネージ端末の位置及びＩＤを受信して、前記位置情報データベースを更新することを特徴としたサイネージ情報表示システム。
【請求項３】
請求項１又は２に記載のサイネージ情報表示システムにおいて、前記位置解析サーバは、更に、地域情報のコンテンツと、位置と該コンテンツＵＲＬが関連付けられて記憶されている地域情報コンテンツデータベースを含み、前記位置解析サーバが前記携帯端末に表示させる前記インデックス表示画面には、前記携帯端末の位置と関連した地域情報の項目を含む総合インデックス表示画面であることを特徴とするサイネージ情報表示システム。
【発明の詳細な説明】
【技術分野】
【０００１】
本発明は、デジタルサイネージに表示されている内容を、ユーザの操作により変更し、ユーザの携帯端末に表示するシステム及び方法に関する。
【背景技術】
【０００２】
近年、店舗や総合施設、駅などの公共施設に電子的な広告が大型のディスプレイパネル等に表示されるようになってきた。この電子的な広告は、インターネット等のネットワークを介して表示され、デジタルサイネージとして知られている。デジタルサイネージには、ビル等に設置される大型のディスプレイや電車内に設置される小型のディスプレイに、広告等の映像が一定時間毎に送信される。
【０００３】
また、店頭等に設置される小型のディスプレイに、広告の映像が一定時間毎に表示されると共に、ユーザによる操作により、ディスプレイに表示される内容を変更できる、双方向性型のデジタルサイネージが知られている。特許文献１には、タッチパネル式ディスプレイをユーザが操作することにより、単にコンテンツ提示という一方通行になりがちなデジタルサイネージに情報の双方向性を持たせたデジタルサイネージが開示されている。例えばコンテンツ情報のメニューの１つに、ホームセンターが提供する商品または役務に関する見積依頼のフォーマットが用意され、ユーザはタッチパネル式ディスプレイに表示されたメニューに従ってタッチパネルを操作するだけで所定の見積依頼書を作成することができる。
【０００４】
また、デジタルサイネージに表示されているコンテンツの内容をユーザが見るだけではなく、ユーザの操作により、ユーザの携帯端末に表示させる技術が知られている。例えば、特許文献２には、ユーザが所持している携帯端末の位置情報を利用し、表示装置に表示された情報の続きをシームレスに携帯端末に表示可能なサイネージ検索サーバ等の技術が開示されている。それにより、ユーザの利便性は向上すると共に、広告メッセージをユーザへ的確にかつ効率的に伝達することができる。
【先行技術文献】
【特許文献】
【０００５】
【特許文献１】登録実用新案第３１７５９３２号公報
【特許文献２】特許第４９５１０５０号明細書
【発明の概要】
【発明が解決しようとする課題】
【０００６】
特許文献１では、デジタルサイネージに情報の双方向性を持たせることで、ユーザのニーズに応じた、きめ細やかなサービスを提供することができる。しかし、ユーザがデジタルサイネージから離れてしまった場合には、その情報をユーザの携帯端末等に表示させることはできず、後で内容を確かめたいときに不便な場合がある。
【０００７】
特許文献２では、デジタルサイネージに提示されているコンテンツの内容をユーザが所持している携帯端末の位置情報を利用し、携帯端末に表示可能なサイネージ検索サーバ等の技術が開示されているが、デジタルサイネージに表示されている情報は、一方向的な内容であり、ユーザが本当に必要な情報を選択して表示させることはできない。従って、ユーザとの双方向性を持たせたデジタルサイネージにおいて、ユーザの操作によって表示された情報をユーザの携帯端末に表示できる技術がさらに望まれる。
【０００８】
本発明の目的は、上記課題に鑑み、ユーザの操作によって表示されるデジタルサイネージの表示情報をユーザの携帯端末に表示させることで、ユーザの利便性を向上させると共に、より効果的な宣伝広告を実現するサイネージ情報表示システム及び情報表示方法を提供する。
【課題を解決するための手段】
【０００９】
本発明の１は、複数のサイネージ端末と、コンテンツを前記サイネージ端末に送信して画面に表示させる複数のサイネージサーバと、ＧＰＳ機能を有する携帯端末と、前記携帯端末の位置情報を受信する位置解析サーバと、を含んで構成され、前記サイネージ端末と前記サイネージサーバとの間で双方向性の通信を可能とするサイネージ情報表示システムであって、前記サイネージ端末は、ユーザの操作によって表示内容を変更する手段を備え、前記携帯端末は、前記位置解析サーバに位置情報を送信する位置情報送信手段と、前記サイネージサーバにコンテンツ送信を要求する手段と、を備え、前記位置解析サーバは、前記サイネージサーバから前記サイネージ端末の位置及びＩＤと、各サイネージ端末に対応したインデックス表示画面のＵＲＬと、を受信し、それらを対応付けて記憶する位置情報データベースと、前記位置情報を受信し、前記位置情報データベースから、前記位置情報に対応した前記サイネージ端末を読み出して特定するサイネージ端末特定手段と、前記サイネージ端末に対応した前記インデックス表示画面のＵＲＬを前記携帯端末へ送信して画面に表示させる手段と、を備え、前記サイネージサーバは、前記コンテンツと、前記インデックス表示画面のコンテンツを記憶するコンテンツデータベースと、前記サイネージ端末の位置及びＩＤと、各サイネージ端末に対応した前記インデックス表示画面のＵＲＬを対応付けて記憶するサイネージデータベースと、前記サイネージ端末の位置及びＩＤと、前記インデックス表示画面のＵＲＬを前記位置解析サーバに送信する送信手段と、前記携帯端末から送信されたコンテンツ送信の要求を受信し、前記携帯端末に前記コンテンツを送信して画面に表示させる手段と、を備えることを特徴としたサイネージ情報表示システムである。
【００１０】
本発明の２は、本発明の１に記載のサイネージ情報表示システムにおいて、前記サイネージデータベースには、更に位置情報送信のマークのある画面のＵＲＬが記憶されており、前記サイネージサーバは、前記サイネージ端末から画面変更の要求を受けると、前記サイネージデータベースを読み込み、画面変更される画面が位置情報送信のマークのある画面のＵＲＬである場合にだけ、前記サイネージ端末の位置及びＩＤと、前記インデックス表示画面のＵＲＬを前記位置解析サーバに送信することを特徴としたサイネージ情報表示システムである。
【００１１】
本発明の３は、本発明の１又は２に記載のサイネージ情報表示システムにおいて、前記携帯端末のユーザの操作による位置情報送信手段は、前記携帯端末を振る動作により、前記携帯端末が有するジャイロセンサを使用して実行されることを特徴とするサイネージ情報表示システムである。
【００１２】
本発明の４は、本発明の１から３のいずれかに記載のサイネージ情報表示システムにおいて、前記サイネージ端末は、ＧＰＳ機能を有し、移動可能に設置されており、その移動に応じて前記サイネージ端末の位置及びＩＤを前記サイネージサーバに送信し、前記サイネージサーバは、前記サイネージ端末の位置及びＩＤを受信して前記サイネージデータベースを更新し、前記サイネージ端末の位置及びＩＤを前記位置解析サーバに送信し、前記位置解析サーバは、前記サイネージ端末の位置及びＩＤを受信して、前記位置情報データベースを更新することを特徴としたサイネージ情報表示システムである。
【００１３】
本発明の５は、本発明の１から４のいずれかに記載のサイネージ情報表示システムにおいて、前記位置解析サーバは、更に、地域情報のコンテンツと、位置と該コンテンツＵＲＬが関連付けられて記憶されている地域情報コンテンツデータベースを含み、前記位置解析サーバが前記携帯端末に表示させる前記インデックス表示画面には、前記携帯端末の位置と関連した地域情報の項目を含む総合インデックス表示画面であることを特徴とするサイネージ情報表示システムである。
【００１４】
本発明の６は、本発明の１から５のいずれかに記載のサイネージ情報表示システムにおいて、前記サイネージ端末は、撮像部を有し、撮像した画像を前記サイネージサーバに送信することを特徴としたサイネージ情報表示システムである。
【００１５】
本発明の７は、複数のサイネージ端末と、コンテンツを前記サイネージ端末に送信して画面に表示させる複数のサイネージサーバと、ＧＰＳ機能を有する携帯端末と、前記携帯端末の位置情報を受信する位置解析サーバと、を含んで構成され、前記サイネージ端末と前記サイネージサーバとの間で双方向性の通信を可能とするサイネージ情報表示システムにおけるサイネージ情報表示方法であって、前記サイネージサーバが前記コンテンツとインデックス表示画面のコンテンツをコンテンツデータベースに記憶するステップと、前記サイネージ端末が、ユーザの操作によって表示内容を変更するステップと、前記サイネージサーバが、前記サイネージ端末の位置及びＩＤと、各サイネージ端末に対応した前記インデックス表示画面のＵＲＬと、を対応付けてサイネージデータベースに記憶するステップと、前記サイネージサーバが、前記サイネージ端末の位置及びＩＤと、インデックス表示画面のＵＲＬを前記位置解析サーバに送信するステップと、前記携帯端末が、ユーザの操作によって位置情報を送信するステップと、前記位置解析サーバが、前記携帯端末の前記位置情報を受信し、前記位置情報データベースから、前記位置情報に対応した前記サイネージ端末を読み出して特定するステップと、前記位置解析サーバが、前記サイネージ端末に対応した前記インデックス表示画面のＵＲＬを前記携帯端末へ送信して画面に表示させるステップと、前記携帯端末が、ユーザの操作によって前記インデックス表示画面から選択されたコンテンツ送信の要求を前記サイネージサーバに送信するステップと、前記サイネージサーバが、前記コンテンツ送信の要求を受信し、前記携帯端末へ前記コンテンツを送信して画面に表示させるステップと、を含むことを特徴としたサイネージ情報表示方法である。
【発明の効果】
【００１６】
本発明のサイネージ情報表示システム及び情報表示方法によると、ユーザの操作によって表示されるデジタルサイネージの表示情報をユーザの携帯端末に表示させることで、ユーザの利便性を向上させると共に、より効果的な宣伝広告を実現することができる。
【図面の簡単な説明】
【００１７】
【図１】本発明の一実施形態であるサイネージ情報表示システムの構成を示す概略図である。
【図２】本発明の一実施形態であるサイネージ情報表示システムの全体構成を示すブロック図である。
【図３】本発明の一実施形態であるサイネージ情報表示システムの全体の流れを示すフローチャートである。
【図４】本発明のサイネージ情報表示システムの使用態様の一例を示す説明図である。
【図５】本発明の一実施形態であるサイネージサーバ、サイネージ端末、携帯端末及び位置解析サーバの間で送受信される情報の流れを示すシーケンス図である。
【図６】本発明の一実施形態であるサイネージ端末に表示されるホーム画面のイメージ図である。
【図７】本発明の一実施形態であるサイネージ端末に表示されるコンテンツ画面のイメージ図である。
【図８】本発明の一実施形態である携帯端末に表示される画面のイメージ図である。
【図９】本発明の一実施形態である携帯端末に表示される画面のイメージ図である。
【発明を実施するための形態】
【００１８】
以下、本発明の実施の形態（以下実施例と記す）を、図面に基づいて説明する。なお、以下の図において、共通する部分には同一の符号を付しており、同一符号の部分に対して重複した説明を省略する。
【００１９】
〔システムの構成〕
まず、図１と図２を用いて本実施例のサイネージ情報表示システムの構成を説明する。図１は、本実施例のサイネージ情報表示システムの構成を示す概略図であり、図２は、本実施例のサイネージ情報表示システムの全体構成を示すブロック図である。本実施例のサイネージ情報表示システム１００は、複数のサイネージ端末１０と、コンテンツをサイネージ端末１０に送信して画面に表示させる複数のサイネージサーバ２０と、ＧＰＳ機能を有する携帯端末４０と、携帯端末４０の位置情報を受信する位置解析サーバ３０と、を含んで構成されるシステムである。図２のブロック図では、簡単のため、サイネージ端末１０とサイネージサーバ２０をそれぞれ１つだけ示して説明する。位置解析サーバ３０、サイネージ端末１０及びサイネージサーバ２０は、インターネット等のネットワーク５０に接続され、携帯端末４０は携帯端末会社のサーバ（図示せず）を介してネットワーク５０に接続される。
【００２０】
サイネージ端末１０は、図１では３台、特定の位置（小規模店舗や大型量販店、複合総合施設、公共施設等）に設定するが、何台設置してもよい。また、本発明のサイネージ端末１０は、固定の場所に設置してもよいが、本実施例では移動可能に設置する。
【００２１】
図２に示すように、サイネージ端末１０は、タッチパネル表示装置である表示部１１及び入力部１２と、制御部１３、記憶部１４、通信部１５、電源１６、ＧＰＳ受信部１７及び出力部１８を含んで構成される。また、ユーザをカメラで撮像する撮像部（図示せず）を備えてもよい。本実施例では、ＧＰＳ受信部１７を備えているが、サイネージ端末１０を固定の場所に設置する場合には、ＧＰＳ受信部１７を備えなくてもよい。
【００２２】
表示部１１は、サイネージサーバ２０から送られてきたコンテンツを表示する。電源１６が入ると、まず、ホームコンテンツが表示部１１に表示される。本実施例では、表示部１１は表示画面上に設けられたタッチパネルの入力装置を有しており、ユーザは表示された内容に対応して画面上で直接入力を行うことができる。タッチパネルで入力を行うことができることで画面切り替えの操作を簡単に行うことができるが、入力手段はこれに限定せず、例えば、キーボードやスイッチ等の入力を行うための手段を備えてもよい。
【００２３】
このように、サイネージ端末１０の表示部１１のタッチパネルをユーザが操作することで、ユーザが見たいページを表示することができるため、単にコンテンツ提示という一方通行になりがちなデジタルサイネージに情報の双方向性を持たせることができる。なお、表示部１１に表示されるコンテンツは、サイネージサーバ２０から通信部１５の受信部を介して受信し、画面変更する際には、表示部１１を操作することで画面変更の要求が通信部１５の送信部を介してサイネージサーバ２０へ送られる。通信部１５の通信手段としては、例えばインターネットが使用される。
【００２４】
制御部１３は、ＣＰＵと、該ＣＰＵを動作させるための制御プロクラムを保持する不揮発性メモリと、ＣＰＵの動作に使用する揮発性メモリと、その他動作に必要な回路を有しており、上記の各部およびサイネージ端末１０全体に対する制御を行う。特に本実施例では、サイネージ端末１０とサイネージサーバ２０との間の情報の送受信を制御する。
【００２５】
記憶部１４は、表示されるコンテンツの情報や、サイネージ端末１０のＩＤ（端末番号等）や設置される位置情報（ＧＰＳ情報）を随時更新しながら記憶するように動作する。撮像部がある場合には撮像された映像や日時なども随時更新しながら記憶される。また、記憶部１４は、サイネージサーバ２０からコンテンツの情報を受け取り、表示画面を変更等するためのプログラムが格納されている。記憶部１４に記憶されるサイネージ端末１０のＩＤや位置情報、表示されている画面の情報は、随時、通信部１５を介してサイネージサーバ２０に送られる。サイネージ端末１０が撮像部を備える場合には、その映像がサイネージサーバ２０に送られ、リアルタイムでサイネージ端末１０のユーザや通行人を監視でき、犯罪を事前に防止する効果や犯罪を抑止する効果がある。
【００２６】
ＧＰＳ受信部１７は、衛星測位システム（ＧＰＳ）が供給する信号を受信して、その信号に基づき、定期的に自らの現在の位置情報（緯度及び経度）を取得する。その位置情報は前述の記憶部１４に随時更新しながら記憶され、通信部１５を介してサイネージサーバ２０に送られる。
【００２７】
出力部１８は、記憶部１４に保持されたデータを記憶するメモリーカードを挿入する端子やＵＳＢ端子などの出力端子を備える。また、出力部１８を介して、それらのデータや画像を印刷できる構成としてもよい。
【００２８】
サイネージサーバ２０は、各サイネージ端末１０に対応して複数台存在し、図１では３台のサイネージ端末１０に対応して、３台のサイネージサーバ２０が存在する。各サイネージサーバ２０は、複数のコンテンツを記憶するコンテンツデータベース２１を有しており、コンテンツをサイネージ端末１０に送信して、画面に表示させる。
【００２９】
図２に示すように、サイネージサーバ２０は、コンテンツデータベース２１、サイネージデータベース２１０、入力部２２、制御部２３、記憶部２４、通信部２５、電源２６、表示部２７及び出力部１８を含んで構成される。本実施例ではコンテンツデータベース２１とサイネージデータベース２１０は、サイネージサーバ２０の外部に備えて接続するようにしているが、内部に備えてもよい。また、地域の気象、災害情報、不審者情報等を随時更新して記憶する外部のデータベース２１１に接続するようにして構成してもよい。本実施例では、外部のデータベース２１１に接続し、随時、コンテンツ上の気象情報等を更新する。入力部２２、通信部２５、電源２６、表示部２７及び出力部１８は、一般のサーバやサイネージ端末１０で説明したものと同様に構成されるため、説明を省略する。
【００３０】
コンテンツデータベース２１には、サイネージ端末１０が設置される小規模店舗や大型量販店等の広告や店内地図等に対応した複数のコンテンツファイル（ＨＴＭＬファイル）が随時更新されながら格納されている。また、コンテンツデータベース２１には、各サイネージ端末１０に関連したコンテンツの項目を列挙した１つのインデックス表示画面（ＨＴＭＬファイル）も随時更新されながら格納されている。このインデックス表示画面は、携帯端末４０に表示用に作成されており、各店舗のサイネージ端末１０に表示されるコンテンツのうち、携帯端末４０に表示可能な、又は表示（保存）するのが適当な内容のコンテンツの項目が列挙されている。インデックス表示画面のＨＴＭＬファイルには、コンテンツリンク先のＵＲＬとコンテンツのタイトルと説明文が含まれている。ユーザは携帯端末４０に表示されるインデックス表示画面の複数のコンテンツ項目から見たいコンテンツを選択して、サイネージサーバ２０にコンテンツ要求を送り、コンテンツを受信して見ることができる。
【００３１】
サイネージデータベース２１０にはサイネージ端末１０の位置及びＩＤと、各サイネージ端末１０に対応したインデックス表示画面のＵＲＬを対応付けて記憶される。サイネージ端末１０のＩＤや位置情報は、通信部２５を介してサイネージ端末１０から受け取り、随時更新しながら記憶される。それらの情報は、サイネージ端末１０の位置が移動したときや、サイネージ端末１０の表示部１１の表示が変更する度に、更新される。本実施例では、サイネージデータベース２１０には、更に位置情報送信のマークのある画面のＵＲＬが記憶されている。それにより、サイネージ端末１０が、位置情報送信のマークのある画面に表示変更する時だけ、サイネージサーバ２０が、サイネージ端末１０の位置及びＩＤと、インデックス表示画面のＵＲＬを位置解析サーバ３０に送信するシステムとすることができる。また、サイネージデータベース２１０は、コンテンツデータベース２１と一体的に構成されていてもよい。
【００３２】
記憶部２４は、サイネージ端末１０に撮像部がある場合には撮像された映像や日時なども随時更新しながら受け取り、記憶する。また、記憶部２４には、サイネージサーバ２０を制御するためのプログラムが格納され、特にサイネージ端末１０や携帯端末４０からコンテンツ要求を受け取り、コンテンツを送信するプログラムが格納されている。また、位置解析サーバ３０へサイネージ端末１０のＩＤや位置情報、インデックス表示画面のＵＲＬを送信するためのプログラムが格納されている。本実施例では、特にサイネージ端末１０から画面変更の要求を受けたあと、サイネージデータベース２１０を読み込み、画面変更される画面が位置情報送信のマークのある画面のＵＲＬである場合にだけ、サイネージ端末１０の位置及びＩＤと、インデックス表示画面のＵＲＬを位置解析サーバ３０に送信するためのプログラムが格納されている。
【００３３】
制御部２３は、サイネージ端末１０の制御部１３と同様に、上記の各部およびサイネージサーバ２０全体に対する制御を行う。特に本実施例では、コンテンツデータベース２１の更新やコンテンツの読み出し、外部データベース２１１からの情報の読み出し、サイネージサーバ２０と、サイネージ端末１０や位置解析サーバ３０、携帯端末４０との間の情報の送受信のプログラムを制御する。
【００３４】
本実施例では、サイネージ端末１０から位置情報送信のマークのある画面への画面変更の要求を受けたときにだけ、サイネージ端末１０の位置及びＩＤと、インデックス表示画面のＵＲＬを位置解析サーバ３０に送信するが、本発明はこれに限定されず、サイネージ端末１０からどのような画面へ画面変更の要求を受けたときでも、サイネージサーバ２０が位置解析サーバ３０へインデックス表示画面のＵＲＬを送信するようにしてもよい。
【００３５】
位置解析サーバ３０は、図１に示すように、例えば３台のサイネージ端末１０と３台のサイネージサーバ２０に対して１台、存在する。サイネージ端末１０やサイネージサーバ２０の数に対応して、複数台あってもよい。図２に示すように、位置解析サーバ３０は、位置情報データベース３１、入力部３２、制御部３３、記憶部３４、通信部３５、電源３６、表示部３７及び出力部３８を含んで構成される。サイネージサーバ２０と同様に、本実施例では位置情報データベース３１を位置解析サーバ３０の外部に備えて接続するようにしているが、内部に備えてもよい。また、ある地域（位置）とその地域情報のコンテンツが関連付けられて記憶されている地域情報コンテンツデータベース３１０に接続するようにして構成してもよい。本実施例では、位置解析サーバ３０は、地域情報コンテンツデータベース３１０に接続して構成される。それにより、ユーザはサイネージ端末１０に表示された情報だけでなく、ユーザの位置周辺の情報も得ることができる。入力部３２、通信部３５、電源３６、表示部３７及び出力部３８は、一般のサーバやサイネージ端末１０で説明したものと同様に構成されるため、説明を省略する。
【００３６】
位置情報データベース３１には、複数のサイネージ端末の位置及びＩＤと、各サイネージ端末に対応したコンテンツ情報を含むインデックス表示画面のＵＲＬが格納されている。サイネージ端末１０のＩＤ、位置情報及びコンテンツのインデックス表示画面のＵＲＬは、通信部３５を介してサイネージサーバ２０から受け取り、随時更新される。
【００３７】
地域情報コンテンツデータベース３１０は、地域情報（小規模店舗や大型量販店、複合総合施設、公共施設等の情報）のコンテンツ（ＨＴＭＬファイル）が格納されている。また、ある地域（位置）とそのコンテンツＵＲＬが関連付けられて記憶されており、ある地域の周辺の情報を含む総合インデックス表示画面のＨＴＭＬファイルが随時更新されて格納されている。この総合インデックス表示画面は、携帯端末の位置情報を受け取った後に、制御部３３により、その周辺の情報のコンテンツＵＲＬが地域情報コンテンツデータベース３１０から抽出され、それらの項目を列挙して作成される。また、総合インデックス表示画面は、サイネージサーバ２０からサイネージ端末のＩＤと位置情報、インデックス表示画面のＵＲＬが送信されてきた場合には、随時サイネージ端末１０に関する情報を含めて更新される。この総合インデックス表示画面のＨＴＭＬファイルには、コンテンツリンク先のＵＲＬとコンテンツのタイトルと説明文が含まれている。なお、地域情報コンテンツデータベース３１０は、位置情報データベース３１と一体的に構成されてもよい。
【００３８】
記憶部３４は、位置解析サーバ３０を制御するためのプログラムが格納され、特に位置情報データベース３１から、携帯端末４０のユーザ操作によって送信された位置情報に対応したサイネージ端末１０を特定するための制御プログラムが格納されている。また、地域情報コンテンツデータベース３１０から、携帯端末４０のユーザ操作によって送信された位置情報に対応した周辺の情報のコンテンツを抽出し、それらの項目を列挙して総合インデックス表示画面を作成するための制御プログラムが格納されている。さらに、記憶部２４には、サイネージサーバ２０からサイネージ端末の位置、ＩＤ及びコンテンツのインデックス表示画面のＵＲＬを受け取り、位置情報データベース３１に格納するプログラムや、携帯端末４０にインデックス表示画面のＵＲＬを送信して画面に表示させるプログラムが格納されている。
【００３９】
制御部３３は、サイネージ端末１０やサイネージサーバ２０の制御部と同様に、上記の各部および位置解析サーバ２０全体に対する制御を行う。特に本実施例では、制御部３３に含まれるサイネージ端末特定部３３１の制御により、ユーザの操作によって携帯端末４０の位置情報が送信されると、位置情報データベース３１からその携帯端末４０の位置情報に対応したサイネージ端末１０を読み出して特定する。また、地域情報コンテンツデータベース３１０から、携帯端末４０のユーザ操作によって送信された位置情報に対応した周辺の情報のコンテンツ（ＵＲＬ）を抽出し、それらの項目を列挙して総合インデックス表示画面（ＨＴＭＬ）を作成する。さらに、制御部３３は、位置情報データベース３１の更新、位置解析サーバ２０とサイネージサーバ２０や携帯端末４０との間の情報の送受信を制御する。
【００４０】
携帯端末４０は図１に示す例では２台であるが、複数台あってもよい。また、携帯端末４０は、ＧＰＳ機能を有し、表示機能を有するものであれば、いかなる携帯端末４０でもよいが、本実施例では、携帯端末４０としていわゆるスマートフォンを例に挙げて説明する。携帯端末４０は、ユーザによって操作され、位置解析サーバ３０に位置情報を送信する。携帯端末４０（スマートフォン）は、タッチパネル表示装置である表示部４１及び入力部と、制御部４３、記憶部４４、通信部４５、電源４６、ＧＰＳ受信部４７及び出力部４８を含んで構成される。各構成部は、一般の携帯端末やサイネージ端末１０で説明したものと同様に構成されるため、詳細な説明を省略し、特徴のある部分のみを説明する。
【００４１】
携帯端末４０は、サイネージ端末１０と同様に、ＧＰＳ受信部４７で、衛星測位システム（ＧＰＳ）が供給する信号を受信して、その信号に基づき、定期的に現在の位置情報を取得する。その位置情報は記憶部４４に随時更新しながら記憶され、位置情報送信手段により、位置解析サーバ３０に送られる。位置情報送信手段は、本実施例では、携帯端末４０に位置情報送信のための専用のアプリ（ソフトウェアプログラム）をダウンロードして、携帯端末４０を振る動作を行ない、携帯端末４０が有するジャイロセンサを使用して、位置解析サーバ３０に位置情報を送信する。位置情報送信手段は、これに限定されず、例えば入力部の画面操作やボタンの操作により、位置解析サーバ３０のアドレスを入力して位置情報を送信してもよい。
【００４２】
表示部４１は、位置情報送信手段により位置情報を送信した後に位置解析サーバ３０から送られてきたインデックス表示画面を表示する。本実施例では、地域情報のＵＲＬを含む総合インデックス表示画面を表示するが、サイネージ情報のインデックス表示画面のＵＲＬだけを表示するように構成してもよい。総合インデックス表示画面には、前述のように、携帯端末４０に表示可能な、又は表示するのが適当な内容のコンテンツＵＲＬのみが列挙されている。表示部４１に表示されるインデックス表示画面の中からユーザ操作により、コンテンツが選択して、サイネージサーバ２０に通信部４５を介してコンテンツ送信要求を送る。また、サイネージサーバ２０からコンテンツを受信すると、そのコンテンツを表示部４１に表示する。このコンテンツの選択とコンテンツ送信要求の送信は、例えばタッチパネルに表示されているコンテンツ項目をタップして行われる。
【００４３】
記憶部４４には、前述のアプリや、位置解析サーバ３０から送られてくる総合インデックス表示画面のＵＲＬ、携帯端末４０全体を制御するためのプログラムなどが記憶される。制御部４３は、サイネージ端末１０と同様に、各部および携帯端末４０全体に対する制御を行う。特に本実施例では、制御部３３は、携帯端末４０と位置解析サーバ３０やサイネージサーバ２０との間の情報の送受信を制御する。
【００４４】
〔システムの流れと使用例〕
次に本発明に係るサイネージ情報システム１００の流れと使用例を図３から図９を用いて説明する。図３は、サイネージ情報システム１００の流れを示すフローチャートである。図３における各ステップは、図３においてＳ１０、Ｓ１１、…と略して表示する。図４は、サイネージ情報システム１００の使用態様の一例を示す説明図であり、図５は、サイネージサーバ２０、サイネージ端末１０、携帯端末４０及び位置解析サーバ３０の間で送受信される情報の流れを示すシーケンス図である。図４と図５に記している番号（１）、（２）、…は、対応している。
【００４５】
図４に示す仮想矢印は、ユーザが携帯端末４０を振ることで、サイネージ端末１０に表示されているコンテンツを携帯端末４０の画面に表示するイメージを示す。実際には、サイネージ端末１０に表示されているコンテンツが、直接、携帯端末４０に送信される訳ではなく、図５のシーケンス図に示すように、サイネージサーバ２０と、位置解析サーバ３０を介して送信される。
【００４６】
図６と図７は、それぞれサイネージ端末１０に表示されるホーム画面のイメージ図、コンテンツ画面のイメージ図である。図８（Ａ）〜（Ｄ）、図９（Ａ）、（Ｂ）は、携帯端末４０に表示される画面のイメージ図である。本実施例では、特にスーパーマーケットの店頭にサイネージ端末１０が設置されている場合を例に挙げて説明する。
【００４７】
〔ステップ１０〕
サイネージ端末１０の入力部１２で電源が入れられると、サイネージ情報システム１００が開始される（Ｓ１０）。このとき、図４、５に示すように、サイネージ端末１０のＩＤと位置情報（ＧＰＳ情報）、ホーム画面コンテンツの送信要求がサイネージサーバ２０に送られる（１）。サイネージサーバ２０が送信要求を受信すると、ホーム画面コンテンツがサイネージ端末１０に送られると共に、サイネージ端末１０のＩＤと位置情報が位置解析サーバ３０に送られる（２）。
【００４８】
図６は、サイネージ端末１０のタッチパネル１１に表示されるホーム画面コンテンツ１１２の一例である。ホーム画面コンテンツは、メイン画面１１０に表示され、例えば、その日の広告やお買い得情報が表示される、横のサブ画面１１１には、例えば画面の文字の拡大や縮小などの操作案内が表示される。また、メイン画面コンテンツ以外にもコンテンツは複数種類（本実施例では７種類）表示することができる。例えば、本実施例のスーパーマーケットに関係した内容として、商品の産地情報や売り場地図、日替わりレシピ、お勧め商品などである。また、日時と時刻のコンテンツ１１５や、外部データベース２１１から得られる地域の気象・災害情報、不審者情報等のコンテンツ１１４を表示してもよい。
【００４９】
〔ステップ１１〕
次にサイネージ端末１０のタッチパネル１１に表示されているホーム画面コンテンツ１１２から特定のコンテンツ画面１１３を選択することにより、メインの画面１１０とサブ画面１１１の表示が変更される（Ｓ１１）。コンテンツ画面の選択は、タッチパネル１１上のアイコン１１３をユーザがタップすることによって行われる。このとき、図４、５に示すように、サイネージ端末１０のＩＤと位置情報、選択した画面コンテンツ（ＵＲＬ）の送信要求がサイネージサーバ２０に送られ、サイネージデータベース２１０にサイネージ端末１０のＩＤと位置情報が記憶される（３）。
【００５０】
〔ステップ１２、１３〕
サイネージサーバ２０は送信要求を受けて、サイネージ端末１０に、選択されたコンテンツを送信する（４）。サイネージ端末１０は変更されたコンテンツ画面を表示部１１に表示する。図７は、変更されたコンテンツ画面のイメージ図である。このとき、サイネージサーバ２０は、送信要求を受けたコンテンツのＵＲＬが、位置情報送信のマークがついている画面のＵＲＬであるか否かを、サイネージデータベース２１０から判断する（Ｓ１２）。そして図７に示すように、サイネージ端末１０の画面に位置情報送信のマーク（ふるふるマーク）１１６が表示されている場合（ＹＥＳの場合）には、サイネージサーバ２０が、サイネージ端末１０の位置及びＩＤと、インデックス表示画面のＵＲＬを位置解析サーバ３０に送信する（Ｓ１３）。サイネージ端末１０の画面に位置情報送信のマーク（ふるふるマーク）１１６が表示されていない場合（ＮＯの場合）には、サイネージサーバ２０が、サイネージ端末１０の位置及びＩＤと、インデックス表示画面のＵＲＬを位置解析サーバ３０に送信しないため、携帯端末４０が位置情報を送信しても、欲しい情報が得られない。その詳細は後述する。
【００５１】
従って、サイネージ端末１０の画面に位置情報送信のマーク１１６が表示されていない場合には、本システムを使用できないため、画面の表示変更（Ｓ１１）に戻る。本実施例では、上記のように、サイネージサーバ２０が、サイネージ端末１０から位置情報送信のマークがついている画面の変更の送信要求を受けて、位置解析サーバ３０に、サイネージ端末１０の位置及びＩＤと、インデックス表示画面のＵＲＬを送信するため、ユーザは、位置情報送信のマーク１１６が表示されている画面上の必要な情報だけを携帯端末４０で見ることができる。本発明のシステムはこれに限定されず、例えば電源が入れられた後や、変更画面の位置情報送信のマークがついていない場合でもサイネージ端末１０の位置及びＩＤと、インデックス表示画面のＵＲＬを送信するようにしてもよい。
【００５２】
本実施例では、図７に示すように、料理名１のレシピのコンテンツが選択された場合を示す。メイン画面１１０には、料理の作り方や材料が表示され、空きスペースには、材料の売り場情報などが表示される。また、サブ画面１１１には、料理名が列挙されており、料理名のアイコンをタップすると、その料理の作り方が表示される。また、メイン画面１１０には、位置情報送信のマーク１１６と説明１１８、１１７が表示される。これらは、サブ画面１１１に表示してもよい。アプリの詳しい説明は、アイコン１１７をタップすることで読むことができる。これらの表示と説明により、ユーザは、この場所で携帯端末４０を振ると、画面に表示されている内容を含むコンテンツが携帯端末４０に表示されることが理解できる。
【００５３】
〔ステップ１４〕
ユーザが特定のコンテンツを見て、例えば料理名１のレシピのコンテンツを携帯端末４０に表示させたい場合には、携帯端末に位置情報送信のためのアプリをダウンロードして保存する。そして、携帯端末４０を振ると、前述のように、携帯端末４０が有するジャイロセンサによって、位置解析サーバ３０に位置情報が送信される（Ｓ１４）。図４及び図５では、（５）で示すステップに相当する。携帯端末４０の位置情報は他の方法で送信されてもよい。
【００５４】
〔ステップ１５〕
位置解析サーバ３０は、携帯端末４０から送られてきた位置情報を受信し（Ｓ１５）、位置情報データベース３１からその位置情報に対応したサイネージ端末１０を特定する。そして、位置情報データベース３１から対応したサイネージ端末１０のインデックス表示画面のＵＲＬを読みだす。本実施例では、更に、前述の地域情報コンテンツデータベース３１０から、携帯端末４０の位置情報に対応した周辺の情報のコンテンツＵＲＬを抽出し、それらの項目と、サイネージ端末１０のインデックス表示画面のＵＲＬを１つの項目として列挙し、総合インデックス表示画面（ＨＴＭＬ）を作成する。本発明はこれに限定されず、サイネージ端末１０のインデックス表示画面のＵＲＬを読みだすだけでもよい。
【００５５】
〔ステップ１６〕
そして、位置解析サーバ３０は、その総合インデックス表示画面のＵＲＬを携帯端末４０へ送信して画面に表示させる（Ｓ１６）。図４及び図５では、（６）で示すステップに相当する。図８（Ａ）は、携帯端末４０の表示部４１に表示される総合インデックス表示画面の一例である。総合インデックス表示画面のＨＴＭＬファイルには、コンテンツリンク先のＵＲＬと、画像、コンテンツのタイトルと説明文が含まれている。図８（Ａ）に示すように、総合インデックス表示画面には、周辺の情報のコンテンツＵＲＬを示す項目４１０と、サイネージ端末１０のインデックス表示画面のＵＲＬを示す項目４１１が列挙されている。
【００５６】
〔ステップ１７〕
ユーザが総合インデックス表示画面（図８（Ａ））からサイネージ端末１０のインデックス表示画面のＵＲＬを示す項目４１１を選択すると、携帯端末４０は、選択されたコンテンツの送信要求をサイネージサーバ２０に送信する。そして、図８（Ｂ）に示すように、イネージ端末１０のインデックス表示画面が表示される。更に、ユーザがインデックス表示画面（図８（Ｂ））からコンテンツを選択すると、携帯端末４０は、選択されたコンテンツの送信要求をサイネージサーバ２０に送信する（Ｓ１７）。図４及び図５では、（７）で示すステップに相当する。本実施例では料理名１の作り方と、店内マップのコンテンツを選択した場合を例に挙げて説明する。
【００５７】
〔ステップ１８、１９〕
サイネージサーバ２０は、携帯端末４０からコンテンツ送信要求を受信し、携帯端末４０へ選択されたコンテンツを送信し（Ｓ１８）、画面に表示させる。図４及び図５では、（８）で示すステップに相当する。携帯端末４０にコンテンツが表示されると、サイネージ情報システム１００の一連の流れが終了する（Ｓ１９）。
【００５８】
図８（Ｃ）と（Ｄ）は、携帯端末４０の表示部４１に表示されるコンテンツ表示画面の例である。図８（Ｃ）は料理名１の作り方のコンテンツが表示されるイメージ図であり、（Ｄ）は店内マップのコンテンツが表示されるイメージ図である。ユーザがコンテンツを変更したい場合には、再度、ステップ１７からのステップを繰り返す。携帯端末４０に表示されたインデックス表示画面やコンテンツは、ユーザがサイネージ端末１０から離れた場合であっても、携帯端末４０の画面から消えることはなく、携帯端末４０の記憶部４４に格納される。そのため、例えば、携帯端末４０に表示される店内マップを見ながら、効率よく買い物ができる。また、料理名１の作り方のコンテンツを見ながら、必要な材料だけを買うことができる等、様々な利点が得られる。
【００５９】
なお、ユーザが総合インデックス表示画面（図８（Ａ））から周辺の情報のコンテンツＵＲＬを示す項目４１０を選択した場合には、携帯端末４０は、選択されたコンテンツの送信要求を位置解析サーバ３０に送信する。このようにして、周辺の情報のコンテンツも得ることができる（図示せず）。
【００６０】
また、本実施例では、前述のように、サイネージ端末１０の画面に位置情報送信のマーク１１６が表示されていない場合には、サイネージサーバ２０が、サイネージ端末１０の位置及びＩＤと、インデックス表示画面のＵＲＬを位置解析サーバ３０に送信しない。そのため、位置情報送信のマーク１１６が表示されていない画面で、携帯端末４０が位置情報を送信した場合には、図９（Ａ）に示すような総合インデックス表示画面（図９（Ａ））が表示される。ユーザがサイネージ端末１０のインデックス表示画面のＵＲＬを示す項目４１１を選択しても、そのＵＲＬがサイネージサーバ２０から送られてきていないため、接続できず、図９（Ｂ）に示すように、画面を取得できない旨が表示される。前述のように、サイネージ端末１０の画面に位置情報送信のマーク１１６が表示されていない場合でも、携帯端末４０が情報を得られるシステムとしてもよい。
【００６１】
さらに、本実施例では、位置解析サーバが、地域情報コンテンツデータベース３１０を含む場合について説明したが、これに限定されず、含まなくてもよい。その場合には、携帯端末に最初に表示される総合インデックス表示画面（図８（Ａ））には、サイネージ端末１０のインデックス表示画面のＵＲＬの項目４１１のみが表示される。
【００６２】
以上説明してきたように、本発明のサイネージ情報表示システム及び情報表示方法は、ユーザの操作によって表示されるデジタルサイネージの表示情報をユーザの携帯端末に表示することにより、ユーザの利便性を向上させることができる。また、広告の提供側からの視点では、より効果的な宣伝広告を実現することができる。
【００６３】
なお、上述した実施例のサイネージ情報表示システム及び情報表示方法は、一例であり、その構成や方法は、発明の趣旨を逸脱しない範囲で、適宜変更可能である。
【符号の説明】
【００６４】
１０      サイネージ端末
１１      タッチパネル
１７      サイネージ端末のＧＰＳ受信部
２０      サイネージサーバ
２１      コンテンツデータベース
３０      解析サーバ
３１      位置情報データベース
４０      携帯端末
４１      携帯端末の表示部
４７      携帯端末のＧＰＳ受信部
５０      ネットワーク
１００    サイネージ情報表示システム
２１０    サイネージデータベース
１１０    メイン画面
１１１    サブ画面
１１２    メイン画面のアイコン
１１３    コンテンツ画面のアイコン
３１０    地域情報コンテンツデータベース
３３１    サイネージ端末特定部
【要約】
【課題】ユーザの操作によって表示されるデジタルサイネージの表示情報を携帯端末に表示し、ユーザの利便性を向上させるサイネージ情報表示システムとその方法を提供する。
【解決手段】サイネージ情報表示システムは、サイネージ端末とサイネージサーバと携帯端末と位置解析サーバを含んで構成され、サイネージ端末はタッチパネル表示装置を備え、携帯端末は位置情報送信手段を備え、位置解析サーバは、サイネージ端末の位置及びＩＤと、各サイネージ端末に対応したインデックス表示画面のＵＲＬを対応付けて記憶する位置情報データベースと、携帯端末の位置情報に対応したサイネージ端末を特定して、インデックス表示画面のＵＲＬを携帯端末へ送信する手段を備え、サイネージサーバはサイネージ端末の位置等を位置解析サーバに送信する手段と、コンテンツをサイネージ端末及び携帯端末に送信する手段を備える。
【選択図】図２【図１】
0005846700.tif 000002
【図２】
0005846700.tif 000003
【図３】
0005846700.tif 000004
【図４】
0005846700.tif 000005
【図５】
0005846700.tif 000006
【図６】
0005846700.tif 000007
【図７】
0005846700.tif 000008
【図８】
0005846700.tif 000009
【図９】
0005846700.tif 000010